(57)【特許請求の範囲】
【請求項１】
支柱の上端に梁の一端が連続する略Ｌ字状の屋根支持体と、屋根体と、梁壁付け具と、壁付け用枠と、前枠とを備え、屋根体を屋根支持体のみで支持する独立型簡易建物として施工する場合には、屋根支持体の梁の上に屋根体を固定し、屋根体の他端に前枠を取付け、屋根支持体及び屋根体を躯体に固定する壁付型簡易建物として施工する場合には、独立型簡易建物と同種の屋根体を用いて屋根支持体の梁の上に屋根体を固定し、屋根体の他端に壁付け用枠を取付けて壁付け用枠の躯体固定部を躯体に固定すると共に、梁の他端に梁壁付け具を取付けて梁壁付け具を躯体に固定することを特徴とする簡易建物の施工方法。
【請求項２】
支柱の上端に梁の一端が連続する略Ｌ字状の屋根支持体と、屋根体と、梁壁付け具と、壁付け用枠と前枠とを備え、屋根体を屋根支持体のみで支持する独立型簡易建物として施工する場合には、屋根体を組み立てた後に屋根支持体の梁の上に屋根体を固定し、屋根体の他端に梁との間に空間を形成して前枠を取付け、屋根支持体及び屋根体を躯体に固定する壁付型簡易建物として施工する場合には、独立型簡易建物と同種の屋根体を用いて、屋根体を組み立てた後にその屋根体を屋根支持体の梁の上に固定し、屋根体の他端に梁との間に空間を形成して壁付け用枠を取付けて壁付け用枠の躯体固定部を躯体に固定すると共に、梁の他端に梁壁付け具を梁との間に空間を形成して取付けて梁壁付け具を躯体に固定することを特徴とする簡易建物の施工方法。
【請求項３】
支柱の上端に梁の一端が連続する略Ｌ字状の屋根支持体と、屋根体と、梁壁付け具と、壁付け用枠と、前枠とを備え、屋根体を屋根支持体のみで支持する独立型簡易建物として施工する場合には、屋根支持体の梁の上に屋根体を固定して、屋根体の他端に前枠を取付け、屋根支持体及び屋根体を躯体に固定する壁付型簡易建物として施工する場合には、屋根体に独立型簡易建物と同種のものを用いて、屋根支持体の梁の上に屋根体を固定した後、屋根体の他端に壁付け用枠を取付けると共に梁の他端に梁壁付け具を取付けた後、壁付け用枠及び梁壁付け具を躯体に固定することを特徴とする簡易建物の施工方法。
【請求項４】
壁付け用枠及び前枠は各々屋根体のパネル押さえに取付けることを特徴とする請求項１〜３のいずれか一項に記載の簡易建物の施工方法。
【発明の詳細な説明】
【技術分野】
【０００１】
本発明は、簡易建物の施工方法に関する。
【背景技術】
【０００２】
特許文献１には、支柱の上端に梁の一端を固定して略Ｌ字形状を成す屋根支持体の上に屋根体を固定し、梁の他端を梁壁付け具で躯体に固定すると共に屋根体の他端に壁付け用枠を取付けて躯体に固定する壁付型の簡易建物が開示されている。
特許文献２には、支柱の上端に梁の一端を固定して略Ｌ字形状を成す屋根支持体の上に屋根体を固定して、屋根体を片側支持した独立型の簡易建物が開示されている。
【先行技術文献】
【特許文献】
【０００３】
【特許文献１】特開平１１−１４８２４３号公報
【特許文献２】特開平１１−２２２２０号公報
【発明の概要】
【発明が解決しようとする課題】
【０００４】
上述の独立型の簡易建物の屋根支持体（独立用屋根支持体）と、壁付型の簡易建物の屋根支持体（壁付け用屋根支持体）とでは、屋根体の固定の仕方が異なるので壁付け用屋根支持体と独立用屋根支持体とで同種の屋根体を兼用できない為、各型の簡易建物毎に異なる種類の屋根体を用意する必要があり、構成部材の種類が増えるという問題がある。
【０００５】
そこで、本発明は、壁付型簡易建物と独立型簡易建物とで、同種の屋根体を使用することができる簡易建物の施工方法の提供を目的とする。
【課題を解決するための手段】
【０００６】
請求項１に記載の発明は、支柱の上端に梁の一端が連続する略Ｌ字状の屋根支持体と、屋根体と、梁壁付け具と、壁付け用枠と、前枠とを備え、屋根体を屋根支持体のみで支持する独立型簡易建物として施工する場合には、屋根支持体の梁の上に屋根体を固定し、屋根体の他端に前枠を取付け、屋根支持体及び屋根体を躯体に固定する壁付型簡易建物として施工する場合には、独立型簡易建物と同種の屋根体を用いて屋根支持体の梁の上に屋根体を固定し、屋根体の他端に壁付け用枠を取付けて壁付け用枠の躯体固定部を躯体に固定すると共に、梁の他端に梁壁付け具を取付けて梁壁付け具を躯体に固定することを特徴とする簡易建物の施工方法である。
【０００７】
請求項２に記載の発明は、支柱の上端に梁の一端が連続する略Ｌ字状の屋根支持体と、屋根体と、梁壁付け具と、壁付け用枠と前枠とを備え、屋根体を屋根支持体のみで支持する独立型簡易建物として施工する場合には、屋根体を組み立てた後に屋根支持体の梁の上に屋根体を固定し、屋根体の他端に梁との間に空間を形成して前枠を取付け、屋根支持体及び屋根体を躯体に固定する壁付型簡易建物として施工する場合には、独立型簡易建物と同種の屋根体を用いて、屋根体を組み立てた後にその屋根体を屋根支持体の梁の上に固定し、屋根体の他端に梁との間に空間を形成して壁付け用枠を取付けて壁付け用枠の躯体固定部を躯体に固定すると共に、梁の他端に梁壁付け具を梁との間に空間を形成して取付けて梁壁付け具を躯体に固定することを特徴とする簡易建物の施工方法である。
【０００８】
請求項３に記載の発明は、支柱の上端に梁の一端が連続する略Ｌ字状の屋根支持体と、屋根体と、梁壁付け具と、壁付け用枠と、前枠とを備え、屋根体を屋根支持体のみで支持する独立型簡易建物として施工する場合には、屋根支持体の梁の上に屋根体を固定して、屋根体の他端に前枠を取付け、屋根支持体及び屋根体を躯体に固定する壁付型簡易建物として施工する場合には、屋根体に独立型簡易建物と同種のものを用いて、屋根支持体の梁の上に屋根体を固定した後、屋根体の他端に壁付け用枠を取付けると共に梁の他端に梁壁付け具を取付けた後、壁付け用枠及び梁壁付け具を躯体に固定することを特徴とする簡易建物の施工方法である。
【０００９】
請求項４に記載の発明は、請求項１〜３のいずれか一項に記載の発明において、壁付け用枠及び前枠は各々屋根体のパネル押さえに取付けることを特徴とする。
【発明の効果】
【００１０】
請求項１に記載の発明によれば、独立型簡易建物と壁付型簡易建物とで、屋根体に同種のものを使用でき、構成部材の種類を低減できる。
【００１１】
請求項２に記載の発明によれば、独立型簡易建物と壁付型簡易建物とで、屋根体に同種のものを使用でき、構成部材の種類を低減できる。
壁付け用枠又は前枠と梁との間に空間が形成されているので、この空間を作業空間として利用できるから、壁付け用枠を用いたときには梁及び屋根体の躯体への取付け作業がし易い。
【００１２】
請求項３に記載の発明によれば、独立型簡易建物と壁付型簡易建物とで、屋根体に同種のものを使用でき、構成部材の種類を低減できる。
【００１３】
請求項４に記載の発明によれば、請求項１〜３のいずれか一項に記載の発明と同様の作用効果を奏すると共に、壁付け用枠及び前枠はパネル押さえを利用して屋根体に取付けてあるので、これらの壁付け用枠及び前枠を取付ける為の部品を削減できる。
【図面の簡単な説明】
【００１４】
【図１】本実施の形態に係る壁付型簡易建物を図３のＡ−Ａ位置で切断した断面図である。
【図２】本実施の形態に係る壁付型簡易建物を図３のＢ−Ｂ位置で切断した断面図である。
【図３】本実施の形態に係る壁付型簡易建物の平面図である。
【図４】本実施の形態に係る独立型簡易建物を図６のＥ−Ｅ位置で切断した断面図である。
【図５】本実施の形態に係る独立型簡易建物を図３のＦ−Ｆ位置で切断した断面図である。
【図６】本実施の形態に係る独立型簡易建物の平面図である。
【図７】第３実施の形態に係る壁付型簡易建物を図１と同じ位置で切断して示す断面図である。
【図８】第４実施の形態であって、壁付型簡易建物１ａと独立型簡易建物１ｂとの施工例を示す平面図である。
【発明を実施するための形態】
【００１５】
以下に、添付図面を参照して本発明の実施の形態を説明する。
本実施の形態に簡易建物は、屋根支持体に固定した屋根体を躯体に取付ける壁付型簡易建物１ａ（図１〜図３）と、屋根体を躯体に取付けることなく屋根支持体のみ固定した独立型簡易建物１ｂ（図４〜図６）との何れにも施工できるものである。
簡易建物１ａ、１ｂは、本実施の形態ではカーポートであり、屋根支持体３と、屋根体５と、壁付け用枠７と、前枠９（図４参照）とを備えている。
図１に示すように、屋根支持体３は、支柱１１と梁１３とを有し、支柱１１の上端に梁１３の一端１３ａを固定して、略Ｌ字形状を成している。支柱１１と梁１３とが成すＬ字の角部には、内部にコーナ金具１４が設けてあり、屋根支持体３の強度を高めてある。
梁１３の他端１３ｂには梁壁付け具１５が梁１３に取付け自在になっている。梁壁付け具１５は、一端側を梁１３にねじ１６で固定し、梁１３の上方に位置する他端側部２２をねじ１８で躯体２に固定している。
屋根体５は、上弦材２１、下弦材１７、上水平材（水平材）２４ａ、下水平材（水平材）２４ｂ及び斜材１９でトラス構造体２０を形成してあり、斜材１９と上弦材２１とを連結する連結材２３に取付けたパネル押さえ２５で、屋根パネル２７を固定している。
壁付け用枠７は、屋根支持体３の他端５ｂ（梁１３の他端１３ｂ）に取付けるものであり、屋根体５に取付ける屋根取付部３１と、躯体（壁）２に固定する躯体固定部３３とを有しており、屋根取付部３１は、パネル押さえ２５にねじ２６で固定するようになっている。躯体固定部３３は、屋根パネル２７よりも下方に位置し、ねじ３２で躯体２に固定してあり、躯体固定部３３の上部にはシーラ受け３５が設けてあり、壁付け用枠７と躯体２との間をシーラ３７でシールするようになっている。
前枠９は、図４に示すように、屋根取付部３９と、屋根体５の端を外側から隠すカバー部４１とを有しており、屋根取付部３９は、パネル押さえ２５にねじ２３で止めてある。この前枠９には、躯体固定部３３（図１参照）がなく、屋根体５の端を外側から隠すカバー部４１を設けている点が壁付け用枠７（図１参照）と異なっている。
本実施の形態では、図１〜図３に示す壁付型簡易建物１ａの前枠４５と、図４〜図６に示す独立型簡易建物１ｂの前枠９、４９とは、略同一外観のものが用いられており、壁付型簡易建物１ａの側枠４７、４７と、独立型簡易建物１ｂの側枠４７、４７とは共に同種のものが用いられている。
【００１６】
次に、本実施の形態に係る簡易建物１の施工、作用及び効果について説明する。図１〜図３は壁付型簡易建物１ａを示し、図４〜図６には独立型簡易建物１ｂを示しているが、何れの施工においても、本実施例では、同種の屋根支持体３と屋根体５とを用いている。
図１〜図３に示す壁付型簡易建物１ａを施工する場合には、図１に示すように、支柱１１の上端に梁１３の一端１３ａを固定して略Ｌ字状の屋根支持体３を形成し、屋根支持体３の上に屋根体５を載置して固定し、屋根支持体３において梁１３の他端１３ｂに梁壁付け具１５をねじ１６で固定して、梁壁付け具１５の他端側部２２を躯体（壁）２にねじ１８で固定する。そして、屋根体５には、梁１３の他端１３ｂ側に位置する他端５ｂに壁付け用枠７を取付ける。壁付け用枠７は屋根取付部３１をパネル押さえ２５にねじ２６で固定し、躯体固定部３３をねじで躯体２に固定した後、シーラ受け３５に上方からシーラ３７を取付ける。
一方、図４〜図６に示す独立型簡易建物１ｂを施工する場合には、図４に示すように、支柱１１の上端に梁１３の一端を固定して、略Ｌ字状の屋根支持体５を形成し、屋根支持体５の上に屋根体５を載置して固定する。屋根体５には、他端５ｂに前枠９を取付ける。前枠９は屋根取付部３９をパネル押さえ２５にねじ２３で固定し、カバー部４１で屋根の端部を外側から遮蔽する。
本実施の形態によれば、図１〜図３に示す壁付型簡易建物１ａと、図４〜図６に示す独立型簡易建物１ｂとで、屋根支持体３と屋根体５とに同種のものを使用でき、構成部材の種類を低減できると共に同じ外観のものを施工できる。
壁付け用枠７及び前枠９はパネル押さえ２５を利用して屋根体５に取付けてあるので、これらの壁付け用枠７及び前枠９を取付ける為の部品を削減できる。
本実施の形態では、壁付型簡易建物１ａの前枠４５と、独立型簡易建物１ｂの前枠９、４９とは、略同一外観のものが用いられており、壁付型簡易建物１ａの側枠４７、４７と、独立型簡易建物１ｂの側枠４７、４７とは共に同種のものが用いられているので、屋根体５の周囲に設けた各枠についても外観が同一であるから、壁付型簡易建物１ａと独立型簡易建物１ｂとで、更に同じ外観とすることができる。
屋根体５は、屋根パネル２７の下にトラス構造体２０を設けているので、トラス構造体２０により、梁１３と屋根パネル２７との間に作業用空間を形成できるから、作業性が良い。即ち、トラス構造体２０を作業空間として、梁１３の上に位置する梁壁付け具１５を躯体２にねじ１８で固定したり、壁付け用枠７の躯体固定部３３をねじ３２で躯体２に固定する作業がし易い。特に、本実施の形態では、壁付け用枠７の躯体固定部３３は屋根パネル２７よりも下に位置し、梁壁付け具１５の躯体固定部２２は梁１３の上に位置しているので、トラス構造体２０の空間を作業空間として、壁付け用枠７及び梁壁付け具１５を躯体２に固定する作業が容易にできる。
【００１７】
次に、本発明の第２実施の形態を説明するが、以下に説明する実施の形態において、上述した第１実施の形態と同一の作用効果を奏する部分には、同一の符号を付することにより、その部分の詳細な説明を省略し、主に第１実施の形態と異なる点を説明する。第２実施の形態では、図１〜図３に示す独立型簡易建物１ｂの屋根支持体３の強度を、図４〜図６に示す壁付型簡易建物１ａの屋根支持体３の強度よりも高くしている点が異なり、その他の点は上述した第１実施の形態と同じである。即ち、独立型簡易建物１ｂの屋根支持体３において、支柱１１及び梁１３の肉厚を、壁付型簡易建物１ａの屋根支持体３の支柱１１及び梁１３の肉厚よりも厚くして、独立型簡易建物１ｂの屋根支持体３の強度を、壁付型簡易建物１ａの屋根支持体３の強度よりも高くしてある。尚、独立型簡易建物１ｂの屋根支持体３と、壁付型簡易建物１ａの屋根支持体３とにおいて、コーナ金具１４は同種のものが用いられている。
【００１８】
この第２実施の形態によれば、図１〜図３に示す壁付型簡易建物１ａと、図４〜図６に示す独立型簡易建物１ｂとで、屋根体５に同種のものを使用でき、構成部材の種類を低減できる。
この第２実施の形態によれば、図１〜図３に示す壁付型簡易建物１ａと、図４〜図６に示す独立型簡易建物１ｂとで、要求される強度に応じた屋根支持体３を使用できる。即ち、独立型簡易建物１ｂの屋根支持体よりも要求される強度が小さい壁付型簡易建物１ａの屋根支持体３に、必要以上の強度を得る為に、例えば肉厚を厚くしたり補強したりする必要がないので、屋根支持体３を効率的に且つ安価に製造できる。
壁付型簡易建物１ａと独立型簡易建物１ｂとで、屋根支持体３の種類は異なるが、外観が同じであるから全体として同じ外観のものを施工できる。
壁付け用枠７及び前枠９はパネル押さえ２５を利用して屋根体５に取付けてあるので、これらの壁付け用枠７及び前枠９を取付ける為の部品を削減できる。
壁付型簡易建物１ａの前枠４５と、独立型簡易建物１ｂの前枠９、４９とは、略同一外観のものが用いられており、壁付型簡易建物１ａの側枠４７、４７と、独立型簡易建物１ｂの側枠４７、４７とは共に同種のものが用いられているので、屋根体５の周囲に設けた各枠についても外観が同一であるから、壁付型簡易建物１ａと独立型簡易建物１ｂとで、更に同じ外観とすることができる。
【００１９】
次に、図７を参照して、本発明の第３実施の形態を説明する。第３実施の形態では、屋根体５には、トラス構造体２０が設けていないこと、及び壁付け用枠７が下方に梁壁付け具１５を一体に有していることが、第１実施の形態と異なっている。
壁付け用枠７は、躯体固定部３３の下方に梁３に固定する梁取付け部５２を有し、屋根取付け部３１と梁取付け部５２との間にある躯体固定部３３を躯体２にねじ１８で固定するようになっている。
この第３実施の形態によれば、第１実施の形態と同様に、独立型簡易建物１ｂと壁付型簡易建物１ａとで、屋根体５に同種のものを使用でき、構成部材の種類を低減できる。
壁付け用枠７は、梁１３の他端１３ｂと屋根体５の他端５ｂとを共通の躯体固定部３３で躯体２に固定するから、梁１３の他端１３ｂと屋根体５の他端５ｂとのそれぞれを別個に躯体２に取付ける場合に比較して、部品点数の削減できると共に施工が容易にできる。
図８を参照して、本発明の第４実施の形態を説明する。第４実施の形態は、図１〜図３に示す壁付型簡易建物１ａと図４〜図６に示す独立型簡易建物１ｂとを連接した施工例を示したものである。第８実施の形態によれば、壁付型簡易建物１ａと独立型簡易建物１ｂとを隣り合わせに配置した場合でも、これらの簡易建物１ａ、１ｂは互いに略同一の外観であるから、全体として統一された外観を得ることができる。
この第４実施の形態においては、壁付型簡易建物１ａと独立型簡易建物１ｂとして、第２実施の形態にかかる壁付型簡易建物１ａと独立型簡易建物１ｂを連接してもよいし、第３実施の形態にかかる壁付型簡易建物１ａと独立型簡易建物１ｂを連接してもよい。
【００２０】
本発明は、上述した実施の形態に限らず、本発明の要旨を逸脱しない範囲で種々変形可能である。
例えば、本発明に係る簡易建物１ａ、１ｂは、カーポートを例にして説明したが、これに限らず、テラスやサンルーム等であっても良い。
屋根支持体３において、支柱１１と梁１３とが直角を形成することに限らず、雨水の排水用勾配を形成するように、支柱１１に対して梁１３が傾斜するものであっても良いし、梁が湾曲するものであっても良い。また、支柱１１と梁１３とは別体のものを連結することに限らず、一本の鋼材を曲げて支柱１１と梁１３とを形成するものであっても良い。
壁付型簡易建物１ａにおいて、梁壁付け具１５は、複数の屋根支持体３に跨る長尺材として、この長尺の梁壁付け具１５を各梁１３の他端１３ｂに取付けて躯体２に固定するものであっても良い。この場合、梁壁付け具１５の躯体２への取り付けは、各梁１３の他端１３ｂの位置で躯体２に固定しても良いし、各梁１３の他端１３ｂ間の位置で躯体２に固定しても良い。
請求項１及び３に記載の発明においては、屋根体５は、屋根支持体３に取付ける前に組み立てるものに限らず、屋根支持体３の上で組み立てるものであっても良い。
【符号の説明】
【００２１】
１ａ    壁付型簡易建物（簡易建物）
１ｂ    独立型簡易建物（簡易建物）
２      躯体
３      屋根支持体
５      屋根体
５ｂ    他端
７      壁付け用枠
９      前枠
１１    支柱
１３    梁
１３ａ  梁の一端
１３ｂ  梁の他端
１５    梁壁付け具
１７    下弦材
１９    斜弦材
２１    上弦材
２４ａ  上水平材
２４ｂ  下水平材
３３    躯体固定部
【図１】
0005457530.tif 000002
【図２】
0005457530.tif 000003
【図３】
0005457530.tif 000004
【図４】
0005457530.tif 000005
【図５】
0005457530.tif 000006
【図６】
0005457530.tif 000007
【図７】
0005457530.tif 000008
【図８】
0005457530.tif 000009